(57)【特許請求の範囲】
【請求項１】
密閉型鉛蓄電池の難燃剤を含有しない合成樹脂成形蓋の外面形状に合わせた内面形状を有すると共に、該蓋の上面に突出する正，負極端子及び安全弁筒を夫々外部に露出せしめる端子用孔及び排気用孔を配設され、且つ難燃剤を均一に含有する合成樹脂成形体から成ることを特徴とする密閉型鉛蓄電池用難燃性カバー。
【請求項２】
同じ外面形状を有する蓋を有する密閉型鉛蓄電池の難燃性カバーとして再使用するようにしたことを特徴とする密閉型鉛蓄電池用難燃性カバー。
【請求項３】
請求項１に記載の難燃性カバーを、電池要素を内蔵した電槽及び筐型の蓋が難燃剤を含有しない合成樹脂成形体から成る密閉型鉛蓄電池の該筐型の蓋の外面形状を構成する上面及び四周側面に内面形状を合わせた筐型の難燃性カバーに成形したものを、該蓋の該外面にその内面を重ね合わせて嵌合装着すると共に、該蓋の周側壁の外面と難燃性カバーの周側壁の内面に互いに対向して配設した成形凹部と成形凸部を互いに嵌合係着せしめたことを特徴とする難燃性カバーを具備した密閉型鉛蓄電池。
【請求項４】
金属容器に収容し、電槽の底面及び四周側面を該金属容器で被包したことを特徴とする請求項３に記載の難燃性カバーを具備した密閉型鉛蓄電池。
【発明の詳細な説明】
【０００１】
【発明の属する技術分野】
本発明は、密閉型鉛蓄電池用難燃性カバー並びに難燃性カバーを具備した密閉型鉛蓄電池に関する。
【０００２】
【従来の技術】
従来の密閉型鉛蓄電池は、その電池要素を内蔵した電槽とその上面にヒートシールなどにより気密に結着された蓋は、ＰＰ、ＡＢＳ、ＰＶＣなどの合成樹脂を材料とした成形体が一般に使用されている。
【０００３】
【発明が解決しようとする課題】
しかし乍ら、上記の密閉型鉛蓄電池は、電池電源として、単独で或いはその複数個を組電池として、所定の場所に据え付ける工事中やその使用時に、誤って電池の正，負極端子間が短絡し、これにより発火し、その近傍の蓋に着火し、燃焼し、更には延焼して電池を損傷するなどの思わぬ災害をもたらすことがある。そこで、短絡時の発火による蓋の燃焼を防ぐため、密閉型鉛蓄電池の蓋と電槽を前記の通常の合成樹脂材に難燃剤を混在せしめたものを成形することにより、難燃剤を均一に含有した成形体で構成することが考えられる。しかし乍ら、密閉型鉛蓄電池の製造工程においてその電槽の上縁と蓋の下縁との当接部を加熱溶融して、いわゆるヒートシールする際に、その電槽及び蓋に含まれていた難燃剤のハロゲン系やリン系などの有害成分がガス化し、思わぬ人身事故が発生する危険がある。また、この電池を長期間使用後、その電槽及び蓋を廃棄処分することなく加熱溶解して成形材料として再利用するべく、これを加熱溶融すると、これに含有する難燃剤が加熱分解し、有害ガスが発生し、大気を汚染し、また難燃剤が除かれたプラスチックのみを取得することも困難であるため、そのリサイクルが不可能であり、そのまゝ廃棄せざるを得ず、不経済であるなどの不都合をもたらす。従って、このような課題を解消し、密閉型鉛蓄電池の正，負極端子間が短絡し、発火したとき、その近傍の蓋に着火し、燃焼更には延焼することなく未然に防止し得る何等かの対策が望まれ、更には、使用後廃棄することなくその電池の電槽及び蓋を加熱溶融により成形材としてリサイクル可能にすることが望まれる。
【０００４】
【課題を解決するための手段】
本発明は、上記従来の課題を解消し、密閉型鉛蓄電池の正，負極端子間の短絡時に発火したとき、その近傍の蓋へ着火し、燃焼することを未然に防止し得る難燃性カバーを提供するもので、密閉型鉛蓄電池の難燃剤を含有しない合成樹脂成形蓋の外面形状に合わせた内面形状を有すると共に、該蓋の上面に突出する正，負極端子及び安全弁筒を夫々外部に露出せしめる端子用孔及び排気用孔を配設され、且つ難燃剤を均一に含有する合成樹脂成形体から成ることを特徴とする。
更に本発明は、経済的な本発明の難燃性カバーを具備した密閉型鉛蓄電池を経済的に提供するもので、同じ外面形状を有する蓋を有する密閉型鉛蓄電池の難燃性カバーとして再使用するようにしたことを特徴とする。
更に本発明は、該電池の短絡等により発火したとき、蓋及び電槽の燃焼や蓄電池間の延焼を未然に防止し得られるばかりでなく、使用済みの廃棄されるその電池の電槽と蓋をプラスチック成形材としてリサイクル可能な難燃性カバーを具備した密閉型鉛蓄電池を提供するもので、上記の本発明の難燃性カバーを、電池要素を内蔵した電槽及び筐型の蓋が難燃剤を含有しない合成樹脂成形体から成る密閉型鉛蓄電池の該筐型の蓋の外面形状を構成する上面及び四周側面に内面形状を合わせた筐型の難燃性カバーに成形したものを、該蓋の該外面にその内面を重ね合わせて嵌合装着すると共に、該蓋の周側壁の外面と難燃性カバーの周側壁の内面に互いに対向して配設した成形凹部と成形凸部を互いに嵌合係着せしめたことを特徴とする。
更に本発明は、更に良好に短絡時の鉛蓄電池の燃焼を防止した難燃性カバーを具備した密閉型鉛蓄電池を提供するもので、金属容器に収容し、電槽の底面及び四周側面を該金属容器で被包したことを特徴とする。
【０００５】
【発明の実施の形態】
本発明の実施の形態を添付図面に基づいて以下詳述する。
図１及び図２は、本発明実施の１例の密閉型鉛蓄電池用難燃性カバーを示す。該難燃性カバー１は、ＰＰ、ＡＢＳ、ＰＶＣなどの所望の通常の合成樹脂を主体とし、これに難燃剤を添加混合した混合物を成形材料とし、常法により加熱溶融成形して難燃剤を均一に含有した成形体としたものである。
【０００６】
該難燃剤としては、オクチルジフェニールホスフェート、トリフェニールホスフェートなどのリン系化合物、ヘキサブロモシクロドデカン、デカブロモジフェニールオキサイド、ヘキサブロモベンゼンなどのハロゲン系化合物、両者の併用或いはハロゲン系化合物と酸化アンチモンの併用などであり、合成樹脂材料に対する添加量は、１〜１０重量％程度とする。
この難燃性カバー１は、図３に１例として示す密閉型鉛蓄電池Ｂの筐型の蓋２の外面形状に合わせた内面形状を有するように筐型に成形されたものであり、これを、該蓋２の外面に施したとき、図４、図５及び図６に明示のように、その内面が蓋２の外面が重なりその両内外面間に空気のない状態で嵌合装着されるようにした。
【０００７】
更に詳述すれば、図３に示す電池Ｂは、電池要素を内蔵したＰＰ、ＡＢＳ、ＰＶＣなどの所望の通常の合成樹脂を材料として成形した電槽３とその上縁に同じ合成樹脂を材料とした上記の筐型の蓋２を施し、該電槽３の上縁と該蓋２の下縁との当接部を加熱溶融によりヒートシールしたものである。更に詳細には、該筐型の蓋２は、上，下２段２ａ，２ｂから成る筐型から成り、その下段２ａの周側壁の下縁で電槽３の上縁に当接しヒートシールされて居り、その上段２ｂの平坦面の左右に成形時に正，負極柱挿通用の開口４，４に整合して環状の端子座５，５が鋳込み配設され、その中央部に上面にフィルター６ａを具備した安全弁を内蔵し上面にフィルター６ａを具備した円筒状の排気栓体６を蓋２の上面から一体に突出せしめて成形したものであり、その施蓋時に夫々の端子座５，５の中心の極柱挿通用開口４，４に挿通される正，負極柱の上端部を外部に突出させ、これを正，負極端子Ｐ，Ｎとすると共に、その夫々の周面を端子座５，５に溶接し固定した。
【０００８】
このように構成された密閉型鉛蓄電池Ｂは、単独で又はその複数個を組電池として例えば非常電源用として正置状態で或いは横倒しの状態で使用されるが、その正，負極端子間に短絡を生じて、万一発火したとき、その近傍の蓋２に引火しその燃焼を生ずる恐れがある。そこで、本発明の上記の筐型の難燃性カバー１は、その成形に当たりその内面形状を上記の蓋２の筐型の外面形状に合わすべく、これに対応する上下２段１ａ，１ｂから成る筐型に成形し、更にその上段１ｂの平坦面に、左右に、蓋２の上面から突出する正，負極端子Ｐ，Ｎを外部に挿通突出せしめる開口７，８を配設すると共にその開口７，８の外周に、左右の端子座５，５の周側面から上面にかけて被覆する囲繞壁９，９を配設し、更にその中間に少なくとも排気栓体６の周側面と上面外周を中心のフィルター６ａを外部に露出せしめるように排気用開口１０を中心に設けた円筒状の被覆壁１１を、その上段１ｂの平坦面から上方に一体に突設した筐型の難燃性カバー１に成形したものである。かくして、この筐型の難燃性カバー１を前記の密閉型鉛蓄電池Ｂの該筐型の蓋２に嵌着するときは、その上，下２段１ａ，１ｂの夫々平坦面と四周側壁面とから成る内面は、該蓋２の上，下２段２ａ，２ｂの夫々平坦面と四周側壁面とから成る外面に重なった状態で嵌着されるので、該難燃性カバー１の内面と該蓋２の外面との間に殆ど空気が存在しない状態となると同時に、該蓋２の外面は、該難燃性カバー１により該蓋２は、外気と遮断された状態に保持される。従って、これにより該電池の正，負極端子Ｐ，Ｎ間が短絡し、発火しても、該蓋２は、着火、燃焼することが防止される。
【０００９】
尚、密閉型鉛蓄電池Ｂの蓋２及び電槽３の厚さは、例えば、共に同じ３ｍｍ程度とし、これに嵌着される該難燃性カバー１の厚さは、可撓性を有する程に肉薄の０．５〜２ｍｍ程度、例えば１ｍｍ程度の成形体とすることが好ましい。また、該難燃性カバー１は、不透明、透明、半透明のいずれかの合成樹脂成形体に構成される。
【００１０】
更に、該密閉型鉛蓄電池Ｂは、正立状態の他、横倒しした状態で使用され、運搬するなどの取り扱い時に、これに被冠された難燃性カバー１が不用意に離脱することがないように、蓋に安定した状態に保持される一方、電池の点検などにおいては、上方へ引き抜き除去できるように着脱自在なものとすることが好ましい。
即ち、例えば、肉厚１ｍｍの可撓性を有する該筐型の蓋２の四周側壁、図示の例では、その成形時に、その上段２ｂの四周側壁の幅方向の両側壁面に夫々複数個所に、図示の例では３個所に係止用凹部１２，１２，１２を配設したものに成形する一方、前記の筐型の難燃性カバー１にはその成形時に、その上段１ｂの四周側壁の幅方向の両側壁面に、該蓋２の左右に配設された複数個の係止用凹部１２，１２，１２に対応する位置にその夫々に係着自在に嵌入係合せしめるため内側へ突出形成した係止用凸部１３，１３，１３を配設したものに成形し、該難燃性カバー１を該蓋２に嵌着したとき、図６に明示のように、その左右両側壁の夫々の係止用凸部１３，１３，１３及び１３，１３，１３が該蓋２の夫々対応する両側壁の係止用凹部１２，１２，１２及び１２，１２，１２に嵌合係着するようにし、該難燃性カバー１は、該密閉型鉛蓄電池Ｂの蓋２に強固に固定されて施され、該鉛蓄電池Ｂが振動や衝撃などを受けても離脱することがない。一方、該鉛蓄電池Ｂの点検などに当たり、該難燃性カバー１を除去するには、上方に強く引っ張れば、その係止用凸部１３，１３，１３及び１３，１３，１３は、蓋２の夫々対応する係止用凹部１２，１２，１２及び１２，１２，１２から外れて引き上げ除去できる。
尚、変形例として、前記実施例とは逆に、図示しないが、蓋２側に係止用凸部を、難燃性カバー１側に係止用凹部を配設するようにしてもよいことは勿論である。
【００１１】
また、本発明の難燃性カバー１を具備した密閉型鉛蓄電池Ｂは、その単独で、或いは複数個を組電池として使用するに当たり、外気から更に遮断した状態で使用することが好ましい。
そのためには、その単独又は複数個から成る組電池を丁度収容し得る寸法の鉄製、アルミニウム製などの金属容器内に収容し、その電槽の底面及び四周壁を該金属容器により被包し、電槽を外気に露出しない状態とする。
図７は、その実施の１例を示し、上記に構成した本発明の難燃性カバー１を具備した該密閉型鉛蓄電池Ｂの複数個、例えば６個を組電池として用いる場合に、これら６個の電池の電槽を丁度収容するに適した直方形の鉄製ユニット容器１４内に詰めて収容する。図面では６個の電池はその紙面と直交する方向に６個（図示しない）詰めて収容されている。この場合、その各収容された電池Ｂの該難燃性カバー１の下段１ａの周側壁の下縁を、該容器１４の上縁に当接させた状態とし、該容器１４の上面開口を該難燃性カバー１で閉塞することが好ましい。
然るときは、組電池を構成する夫々の電池Ｂ，Ｂ，…の蓋２，２，…は、難燃性カバー１，１，…により被包され、その夫々の電槽３，３，…は、鉄製ユニット容器１４によりその底面並びに外周側面を被包されるので、組電池全体は、外気から遮断されるので、更に燃焼防止効果が増大する。
【００１２】
更に、本発明によれば、難燃性カバー１を具備した密閉型鉛蓄電池Ｂの長期間使用しその寿命が尽きた場合には、該難燃性カバー１を蓋２から取り外して、同じ型式の電池、即ち、同じ外面形状を有する蓋を具備した新しい密閉型鉛蓄電池の該蓋のカバーとして再使用するようにし、これにより安価な本発明の難燃性カバーを具備した密閉型鉛蓄電池を提供できる。一方、その蓋２と電槽３は、難燃剤を含まないため、再び加熱溶融し電槽、蓋、その他の成形材料として、リサイクルし得る有利をもたらす。
【００１３】
【発明の効果】
このように本発明によるときは、密閉型鉛蓄電池の難燃剤を含有しない蓋に、その外面形状と同じ内面形状を有する難燃性カバーを施すとき、その内面が、該蓋の外面にその内外面間に空気が殆ど存在しない密着状態に嵌合装着すると同時に、これにより、該蓋の外面を外気と遮断されるので、密閉型鉛蓄電池の正，負極端子間の短絡により発火しても、該蓋に着火、燃焼することがない。
更に本発明は、密閉型鉛蓄電池の使用寿命が尽きたときは、難燃性カバーを取り外し、新しい同形式の電池のカバーとして再使用するようにすることにより、安価な難燃性カバーを具備した密閉型鉛蓄電池を提供できる。
更に本発明は、難燃性カバーをその内面が筐型の蓋の上面形状と同じ形状の筐型とし、その互いに重なり合う四周側壁の対向面の一方に複数の係止用凹部をその他方に複数の係止用凸部を配設し、筐型の難燃性カバーを該筐型の蓋にその対向する各係止用凹凸部で嵌合係止するように構成することにより、該難燃性カバーは、が振動、衝撃時などにおいても該密閉型鉛蓄電池の蓋から離脱せず、安定強固に嵌合装着状態を確保することができる。
更に、本発明の難燃性カバーを具備した鉛蓄電池を金属容器内に収容し、電槽の底面及び四周壁を該金属容器で被包するようにしたので、電池全体を外気と遮断することができ、鉛蓄電池の着火、燃焼を更に良好に防止できる。
また、本発明の密閉型鉛蓄電池の蓋及び電槽は、難燃剤を含有しない合成樹脂成形体で構成したので、電池の使用寿命後、廃棄処分とすることなく再び成形材料としてリサイクル可能となり、有効に利用できる。
【図面の簡単な説明】
【図１】本発明の実施の１例の難燃性カバーの平面図。
【図２】図１のＩＩ−ＩＩ線裁断面図。
【図３】本発明の実施の１例の図１に示す難燃性カバーを施される密閉型鉛蓄電池の１例の正面図。
【図４】図１に示す難燃性カバーを図３に示す密閉型鉛蓄電池に施した状態の上面図。
【図５】図４のＶ−Ｖ線裁断面図。
【図６】図４のＶＩ−ＶＩ線裁断面図。
【図７】本発明の難燃性カバーを具備した密閉型鉛蓄電池を鉄製ユニット容器に収容した状態の一部を裁除した正面図。
【符号の説明】
１  難燃性カバー                    Ｂ  密閉型鉛蓄電池
２  難燃剤を含有しない通常の成形蓋
３  難燃剤を含有しない通常の成形電槽
６  安全弁内蔵の排気栓              Ｐ  正極端子
Ｎ  負極端子                        １２  蓋の係止用凹部
１３  カバーの係止用凸部            １４  鉄製ユニット容器
【図１】
0003581076.tif 000002
【図２】
0003581076.tif 000003
【図３】
0003581076.tif 000004
【図４】
0003581076.tif 000005
【図５】
0003581076.tif 000006
【図６】
0003581076.tif 000007
【図７】
0003581076.tif 000008